(57)【特許請求の範囲】
【請求項１】
内部に毒餌剤を設置してなるアリ駆除容器において、
底面に底面開放口を設け、この底面開放口は、アリの巣の出入口全体をカバーできる大きさであって、当該底面開放口をアリの巣の真上に位置させたときアリの巣の出入口を取り囲むように設置可能にしたことを特徴とするアリ駆除容器。
【請求項２】
請求項１記載のアリ駆除容器を、底面開放口をアリの巣の真上に位置させて設置することを特徴とするアリの駆除方法。
【発明の詳細な説明】
【技術分野】
【０００１】
本発明はアリ駆除容器及びこのアリ駆除容器を用いたアリの駆除方法に関するものである。
【背景技術】
【０００２】
従来アリの駆除は、殺虫剤を噴霧して駆除するエアゾール剤、食餌に殺虫剤を混入して誘殺する毒餌剤（容器入り等）を使用し、実用に供される。
【０００３】
ところでエアゾール剤は、積極的かつ即効的では利点があるが、処理現場が薬剤により汚れることや、死亡したアリが散乱して汚い等から使用する場所が限られるといった不便さがある。
【０００４】
この点、毒餌剤は、エアゾール剤の上記不便さがなく、また置いておくだけで駆除できる簡便さから使用する人が多い。
【発明の概要】
【発明が解決しようとする課題】
【０００５】
上述の毒餌剤は、これでアリを誘い食べさせ、毒餌に含まれている殺虫剤により死亡させるものであるが、この毒餌を専用の容器に入れて用いる場合、アリが容器内に侵入するまでに時間がかかることや、アリの種類によって好みが異なり、結局誘引されず駆除できないこともあり、まだ充分とはいえない。
【０００６】
本発明は上記のことにかんがみなされたもので、積極的かつ完全に対象のアリを撲滅できるアリ駆除容器を提供することを目的とするものである。
【課題を解決するための手段】
【０００７】
上記目的を達成するために、本発明に係るアリ駆除容器は、内部に毒餌剤を設置してなるアリ駆除容器において、底面に底面開放口を設け、この底面開放口は、アリの巣の出入口全体をカバーできる大きさであって、当該底面開放口をアリの巣の真上に位置させたときアリの巣の出入口を取り囲むように設置可能にした構成になっている。
【０００８】
また本発明に係るアリの駆除方法は、上記アリ駆除容器を、底面開放口をアリの巣の真上に位置させて設置する。
【発明の効果】
【０００９】
本発明によれば、底面に設けられた底面開放口をアリの巣の真上に対向して設置することにより、巣を出入りするアリを底面開放口よりアリ駆除容器内に誘引して積極的に撲滅駆除することができる。
【図面の簡単な説明】
【００１０】
【図１】本発明の実施の形態を示す一部破断斜視図である。
【図２】本発明の実施の形態を示す断面図である。
【発明を実施するための形態】
【００１１】
本発明の実施の形態を図１、図２を参照して説明する。図中１は平面形状が四角、例えば長方形状にした駆除容器である。この駆除容器１は本体２と、この本体２の対向する２辺に立設された両側板３ａ，３ｂと、この両側板３ａ，３ｂの上端に固着されて上記本体２の上方をカバーする天板４とから偏平箱型に構成されている。
【００１２】
本体２の略中央部に底面開放口５が、また駆除容器１の両側板３ａ，３ｂにて閉じられない方の両側部に側方開放口６ａ，６ｂが設けてある。この底面開放口５の周囲は本体２の底面より高くなっており、この底面開放口５の周辺には本体２の下面側から見ての上り斜面７が設けてある。また側方開放口６ａ，６ｂの内側部の底板２も、これの底面より高くなっており、この側方開放口６ａ，６ｂに外側から内側へ向かって上り坂となる上り斜面８ａ，８ｂが設けてある。そしてこの各開放口５，６ａ，６ｂの各上り斜面７，８ａ，８ｂの下端は本体２の下面と同一平面となっていて、駆除容器１を地面に設置した状態で、各上り斜面７，８ａ，８ｂの下端が地面に接触するようになっている。
【００１３】
天板４の側方開放口６ａ，６ｂ側の端部は上記側方開放口６ａ，６ｂの上り斜面８ａ，８ｂと略平行になるように傾斜したひさしとなっている。そしてこのひさしの先端と両側板３ａ，３ｂの先端は垂直方向に同一面となって下向きのコ字状となり、駆除容器１を、これの側方開放口６ａ，６ｂ側を壁面に押し当てて設置したときに、この天板２のひさしと両側板３ａ，３ｂの先端が壁面に当接されるようになっている。
【００１４】
なお、図２において、左側の側方開放口６ａの上り斜面８ａは開放端より後退されており、右側の側方開放口６ｂの上り斜面８ｂは開放端と同一位置にある例を示した。そして上記左側の側方開放口６ａは両側板３ａ，３ｂと上り斜面８ａの先端部にて囲まれる部分がアリを捕獲するための捕獲部となっている。この部分の側板３ａ，３ｂの下端は本体２の床面と同一面状となっている。
【００１５】
本体２の凹状になっている上記開放口５，６ａ，６ｂの内側に毒餌剤９を設置する。この毒餌剤９の設置は、液状、ゲル状のものを塗布したり、殺虫剤を含有したシートやフィルムを敷設したり、殺虫剤の固形物、半固形物を載置あるいは接着剤にて接着したり、殺虫剤を含有する高粘度物を固着したり等が挙げられる。
【００１６】
本発明に用いられる毒餌剤９に含有する殺虫剤の有効成分としては、常温で蒸散しにくく、耐光、耐熱性が高く、安定した毒性の化合物であればよく、例えばレスメトリン、ペルメトリン、サイフェノトリン、サイパーメスリン、エトフェンプロックス、トラロメスリン等のピレスロイド系殺虫剤やホウ酸、その他有機リン系殺虫剤、カーバメイト系殺虫剤、アミジノヒドラゾン系殺虫剤、ピラゾール系殺虫剤、シラネオファン系殺虫剤等の中で忌避性が少なく、殺虫活性の高い殺虫剤等が挙げられる。
【００１７】
また、本発明に用いられる食餌剤や誘引材としては、例えば蜂蜜、糖蜜、果糖、乳糖、麦芽糖、ブドウ糖、グラニュー糖等の糖類、小麦粉、トウモロコシ粉、米糠等の穀物類、魚貝粉、昆虫粉等の動物性餌類、コーンスターチ、ポテトスターチ等のデンプン類やグリセリン等の食餌剤やオレインアルコール等の高級アルコール類、ラウリン類、オレイン酸等の脂肪酸類、フレーバー香料等の誘引剤が挙げられる。
【００１８】
そして、その他の補助剤としては、ソルビン酸、ソルビン酸塩、パラオキシ安息香酸エステル等の防腐剤、トウガラシ末、安息香酸デナトリウム等の辛み、苦み成分の誤食防止剤、乳酸カルシウム、塩化カルシウム等の安定化剤が挙げられる。
【００１９】
本発明において対象とするアリは、トビイロシワアリ、トビイロケアリ、イエヒメアリ、アミメアリ、ヒメアリ、クロヤマアリ、ツヤシリアゲアリ、オオズアリ、オオハリアリ、クロオオアリ、ルリアリ等のアリが挙げられる。
【００２０】
また、本発明に係る駆除容器１の使用場所としては、家屋等の内外全てに可能であり、特に屋外のアリ害虫の巣や家屋内に進入している行列や、餌に群れている集団等の場面で優れた駆除効果を発揮する。
【００２１】
すなわち、本発明に係る駆除容器１によるアリ駆除は、従来のようにアリを誘い寄せる持久的駆除ではなく、アリの居場所を探し、探し当てた巣や行列等の居場所に直接駆除容器１を仕掛けて積極的にアリ駆除を行い、その結果速効的、かつ確実にアリを駆除する。
【００２２】
つまり、広い場所でのアリの巣の場合には、この巣の上に、底面開放口５が巣の真上に位置するように設置する。また、アリの行列の場合には、この行列を妨げる方向に一方の側方開放口６ａまたは６ｂを向けて設置する。さらに壁際の巣の場合、及び壁際の行列の場合には、捕獲部を有する方の側方開放口６ａの先端を壁面に接触する姿勢にして設置する。
【００２３】
そして上記広い場所での巣は底面開放口５の周囲に設けた上り斜面７にて囲まれることになり、巣を出入りするアリはこの上り斜面７より駆除容器１内に進入する。
【００２４】
また、行列のアリは、これの行進に従って側方開放口６ａ，６ｂの上り斜面８ａ，８ｂより駆除容器１内へ進入する。
【００２５】
壁際の巣の場合には、この巣の周囲が壁と両側板３ａ，３ｂと上り斜面８ａとで構成される捕獲部にて囲まれることになり、巣を出入りするアリは上り斜面８ａより駆除容器１内へ進入する。同様に壁際を行列するアリも上記捕獲部より容器内に進入する。
【００２６】
上記各場合のアリの駆除容器１内への進入は、容器内の毒餌剤９内の誘引剤にて行われる。そして容器内に入ったアリは毒餌剤９を食したり、この上を通過することにより毒が体に付着される。さらに進入したアリは再び開放口６ａ，６ｂを経て巣へ戻り、仲間を容器内へ誘導する。容器内へ進入したアリは容器内の毒餌剤９を食したり、これが体に付着することにより、最終的に巣中、巣外や駆除容器１内で死に至る。アリの場合、毒餌剤９を食した後、その巣へ戻り、吐き戻して仲間に与える習性があり、この場合餌を与えられたアリも死に至る。
【００２７】
（試験１）
次に図１、図２にて示した本発明の第１の実施の形態における試験例を示す。なおこのときの駆除容器一の大きさは、長さ×幅×高さ＝８．５×５．５×１．６ｃｍである。また底面開放口５の開口面積は２ｃｍ２にした。そして上白糖、ゼラチン、水の混合液を本体２の凹部に適量入れ、放冷固化させて誘引食餌剤とした。このようにした駆除容器１を、トビイロシワアリの巣の出入口上に、底面開放口５が対向するようにして設置して、このトビイロシワアリの寄り付き数を経時的に調査した。
【００２８】
また、これと共に比較対照として、従来市販されているアリ駆除容器である直径５０ｍｍの円形で、全周囲に上り斜面を有しているが底板には開放口がなく、中央部に上記本発明の実施例と同じ誘引食餌剤を入れた容器を、これの用法に従って上記アリの巣の出入口からこれの側方開放口が１ｃｍ離間した位置に設置した。試験は新しい誘引材を用いてそれぞれ２回繰り返した。その結果を表１に示す。
【００２９】
【表１】
0004947738.tif 000002
【００３０】
（考察）
表１に示した通り、直接アリの住処である巣を底面開放口５にて取り囲むように設置される本発明に係る供試容器が、２回共速効的で高い誘引捕捉効果を示し、実用的であることが裏付けられた。
【００３１】
（試験２）
試験１と同じ駆除容器１を用い、誘引食餌剤も試験１と同じものを用いた。そしてこの駆除容器１を、家屋の壁側に巣を作っているトビイロシワアリに対して、これの側方開放口６ａ，６ｂのうちの上り斜面８ａが開放端から後退している捕獲部を有する方の側方開放口６ａを上記アリの巣に対向させると共に、開放端を壁面に接触させて設置した。この試験もそれぞれ新しい誘引食餌剤を用いて２回行った。このときのアリの巣が捕獲部にて囲まれる。この試験結果を表２に示す。
【００３２】
【表２】
0004947738.tif 000003
【００３３】
（考察）
表２に示した通り、アリの巣が側方開放口６ａの捕獲部にて囲まれることにより、上記試験１と同様に速効的で高い誘引捕獲効果を示し、実用的であることが裏付けられた。
【００３４】
（試験３）
試験１と同じ駆除容器１を用い、誘引食餌剤も試験１と同じものを用いた。そしてこの駆除容器１を、コンクリート壁面に沿って行列をなしているアミメアリ群に対して、捕獲部を有する方の側方開放口６ａをコンクリート壁面に対向させて設置した。
【００３５】
また、比較対照として、試験１にて用いた従来の市販容器に同様の誘引食餌剤を入れたものをアミメアリの行列を横断するようにして設置し、それぞれの寄り付き数を経時的に調査した。試験は２回繰り返した。その結果を表３に示す。
【００３６】
【表３】
0004947738.tif 000004
【００３７】
（考察）
表３に示す通り、アリの種類が変わっても速効的、かつ高い誘引捕捉効果を示し、実用的であることが裏付けられた。この実験では、全周を開放した比較対照容器に対して本発明に係る駆除容器１において、アリが侵入口（開放口）を介し、容器内外を往復し容器内に集まり、侵入口の優位性が示された。
【００３８】
（試験４）
試験１と同じ駆除容器１を用いて実施現場での駆除効果を調べた。この試験では表４に示す毒餌剤を用いた。また、比較対照として従来市販容器に同じ毒餌剤を用いた。試験としては、容器を設置する前の周辺の個体数と、設置してから２日後の個体数の推移から効果を判断した。その結果を表５に示す。
なお、表５における設置姿勢欄の第１開放口とは図１、図２で示した第１の実施例における底面開放口５であり、第２開放口とは斜面８ａが開放端より後退した方の側方開放口６ａである。
【００３９】
【表４】
0004947738.tif 000005
【００４０】
【表５】
0004947738.tif 000006
【００４１】
（考察）
表５に示す通り、いろいろな種類のアリに有効であり、いろいろな場所で使用でき、優れた駆除効果を示し、実用的効果を証明できた。なお表５中の駆除効果は設置から２日後の設置場所周辺の個体数の減少状態を示すもので、△は２０〜５０％減、○は５０〜７０％減、◎は７０〜１００％減をそれぞれ示す。なお、比較例１での容器は行列の真上に設置し、比較例２ではアリが出入りしている巣から１ｃｍの距離に設置した。
【００４２】
上記第１の実施の形態において、底面開放口５の大きさは容器の大きさにもよるが、アリの巣の出入口の全体を余裕をもってカバーできる大きさで、通常１０×５ｍｍ以上が好ましい。また側方開放口６ａ，６ｂの大きさはアリが通過できる大きさ（２×２ｍｍ）以上であればよいが、多数のアリが通りやすい大きさにする。
【００４３】
また、上記底面の実施の形態では駆除容器１を四角形状にして、これの対向する２辺部に側方開放口６ａ，６ｂを設けた例を示したが、この駆動容器の大きさ、形状は使いやすく、製作しやすい等により決める。その例として、平面形状を円形（楕円も含む）にし、上り斜面を有する側方開放口を容器の全周に設ける形態がある。この場合、底板と天板は底板あるいは天板に突設した複数の柱部材にて結合される。
【００４４】
なお上記第１の実施の形態において、側方開放口６ａ，６ｂを設けずに周囲を閉じ、本体２の底面にのみ、底面開放口５を設けるようにしてもよい。この場合のアリ駆除容器としては巣を出入りするアリの駆除に使われる。底面開放口５の周囲の上り斜面はなくてもよい。また、底面に底面開放口５を有する容器の一側方にのみ側方開放口６ａを設けるようにしてもよい。
【００４５】
なお、上記実施の形態では、側方開放口や底面開放口に上り斜面を設けているが、これは必ずしもなくてもよく、例えば平らであってもよい。
【００４６】
また、底面開放口は必ずしも本体底面の中央部に設けなくてもよく、例えば本体の底面の隅部にあってもよい。また、容器の片側面を閉じ、その側面の内側底面が開放され、この部分を捕獲部としても良い。
【符号の説明】
【００４７】
１…駆除容器、２…本体、３ａ，３ｂ…側板、４…天板、５…底面開放口、６ａ，６ｂ…側方開放口、７，８ａ，８ｂ…上り斜面、９…毒餌剤。
【図１】
0004947738.tif 000007
【図２】
0004947738.tif 000008